(57)【特許請求の範囲】
【請求項１】
建物の床振動を低減する構造であって、前記建物の上下に隣合う階の床スラブを互いに連結する支持部材を設け、前記支持部材と下側の前記床スラブとの間に粘弾性体を介装したことを特徴とする構造。
【請求項２】
前記支持部材は、下側の鋼管と、この下側の鋼管を外側から覆うように配置されて前記下側の鋼管に対して固定された上側の鋼管とを備え、前記下側の鋼管の下端部に前記粘弾性体を取り付けたことを特徴とする請求項１記載の建物の床振動を低減する構造。
【請求項３】
建物の上下に隣合う階の床スラブを互いに連結する支持部材を設けてなる建物の床振動を低減する構造であって、該支持部材は上側の鋼管と下側の鋼管とを備え、一方の鋼管が他方の鋼管の内側に挿入され、この挿入部において両鋼管の間に粘弾性体が介装されて両鋼管が連結されていることを特徴とする構造。
【請求項４】
建物の上下に隣合う階の床スラブを互いに連結する支持部材を設けてなる建物の床振動を低減する構造であって、該支持部材は上側のチャネル材と下側のチャネル材とを備え、これらチャネル材がそれらの連結部において互いに重なり合うように配置され、この重なり合った部分において両チャネル部材間に粘弾性体が介装されていることを特徴とする構造。
【発明の詳細な説明】
【０００１】
【発明の属する技術分野】
本発明は、建物の床振動を低減するための構造に関する。
【０００２】
【従来の技術】
集合住宅等では、床の遮音性を高めて上下階間の音の伝達を抑えることが必要とされる。床の遮音性を向上させるための方法として、従来より、大梁の間に小梁を設けて１枚のスラブの面積を小さくすることや、スラブを厚くすること等により床スラブの振動を抑えることが行なわれている。このうち、前者のように小梁を設ける方法では梁型が居住空間に出っ張ってしまい居住性を悪化させるため、一般には、後者のようにスラブ厚を大きくする方法を採用することが多い。
【０００３】
また、半導体工場のように微細加工が行なわれる工場でも、僅かな床振動が歩留まり低下等の悪影響を及ぼすため、床の振動を抑える必要がある。この場合も、工場内の空間を有効利用できるように、床を厚くして剛性を高めることによって床振動を低減することが一般的である。
【０００４】
【発明が解決しようとする課題】
このように、従来より、床振動の低減を図るための方法として、スラブ厚を増大させることが一般的である。しかしながら、スラブ厚を増大させると建物の重量が増加し、ひいては地震力の増加につながることとなる。このため、建物の耐震性を確保するために躯体数量や基礎杭の増加等が必要になり、その結果、建築コストが大幅に上昇してしまう。
【０００５】
本発明は上記の点に鑑みてなされたものであり、床のスラブ厚を増大させることなく、建物の床振動を低減することを目的とする。
【０００６】
【課題を解決するための手段】
上記の目的を達成するため、請求項１に記載された発明は、建物の床振動を低減する構造であって、前記建物の上下に隣合う階の床スラブを互いに連結する支持部材を設け、前記支持部材と下側の前記床スラブとの間に粘弾性体を介装したことを特徴とする。
【０００７】
請求項１記載の発明によれば、上下階の床スラブが支持部材で互いに連結され、支持部材と下側の床スラブとの間に粘弾性体が介装される。このため、床スラブに振動が生ずると、それに伴って粘弾性体が繰り返し引張・圧縮変形して振動エネルギーを吸収することにより、床スラブの振動が低減され、遮音性能も向上し、その際、粘弾性体に引張・圧縮変形を生じさせるので、小さな振幅の振動に対しても大きな減衰力を発生させることができ、これによって、より大きな振動低減効果を得ることができる。
【０００８】
また、請求項２に記載された発明は、請求項１記載の建物の床振動を低減する構造において、前記支持部材は、下側の鋼管と、この下側の鋼管を外側から覆うように配置されて前記下側の鋼管に対して固定された上側の鋼管とを備え、前記下側の鋼管の下端部に前記粘弾性体を取り付けたことを特徴とする。
【０００９】
また、請求項３に記載された発明は、建物の上下に隣合う階の床スラブを互いに連結する支持部材を設けてなる建物の床振動を低減する構造であって、該支持部材は上側の鋼管と下側の鋼管とを備え、一方の鋼管が他方の鋼管の内側に挿入され、この挿入部において両鋼管の間に粘弾性体が介装されて両鋼管が連結されていることを特徴とする。
さらに、請求項４に記載された発明は、建物の上下に隣合う階の床スラブを互いに連結する支持部材を設けてなる建物の床振動を低減する構造であって、該支持部材は上側のチャネル材と下側のチャネル材とを備え、これらチャネル材がそれらの連結部において互いに重なり合うように配置され、この重なり合った部分において両チャネル部材間に粘弾性体が介装されていることを特徴とする。
【００１７】
【発明の実施の形態】
図１は、本発明の第１の実施形態を示す図であり、同図（ａ）は正面図を、また、同図（ｂ）は同図（ａ）のＡ−Ａ断面図を、夫々示す。本実施形態では、建物のある階の床スラブ１０と、１つ上の階の床スラブ１２との間に支持部材２００が設けられている。支持部材２００は間仕切壁２０の内部に配置されている。支持部材２００は、２本の鋼管２０２，２０４が粘弾性体２０６を介して連結された構成を有している。下側の鋼管２０２の下端は床スラブ１０に固定され、上側の鋼管２０４の下端部が床スラブ１２に固定されている。そして、鋼管２０２，２０４の連結部において、一方の鋼管が他方の鋼管の内側へ挿入されており、この挿入部において両者間に粘弾性体２０６が介装されている。
【００１８】
上記の構成によれば、床スラブ１０または１２に振動が生ずると、それに伴って鋼管２０２または２０４も上下に振動し、鋼管２０２，２０４の相対的な振動に応じて粘弾性体２０６に繰り返しせん断変形が生ずる。かかる粘弾性体２０６のせん断変形により振動エネルギーが吸収され、これにより、床スラブ１０，１２の振動が減衰させられる。このように、床スラブ１０，１２に振動が生じても、その振動は速やかに減衰する。したがって、本実施形態によれば、床スラブ１０，１２の振動を低減し、また、遮音性を向上させることができる。
【００１９】
また、粘弾性体２０６は比較的大きな量までせん断変形するので、支持部材２００の製作時にその全長をさほど高い精度で調整しなくとも、取り付け時に粘弾性体２０６のせん断変形量で全長を微調整することが可能である。したがって、本実施形態によれば、支持部材２００の設計・製作が容易となるという効果も得られる。
さらに、支持部材２００が間仕切壁２０の内部に設けられるので邪魔にならず、室内空間の居住性や機能性が損なわれることもない。
【００２０】
図２は、本発明の第２実施形態を示す図であり、同図（ａ）は正面図を、また、（ｂ）は同図（ａ）のＢ−Ｂ断面図を、夫々示す。本実施形態では、床スラブ１０，１２の間に支持部材３００が設けられている。支持部材３００は間仕切壁２０の内部に配置されている。支持部材３００は、コの字型断面を有するチャネル３０２，３０４が粘弾性体３０６を介して連結された構成を有している。下側のチャネル３０２の下端部は床スラブ１０に固定され、上側のチャネル３０４の上端部は床スラブ１２に固定されている。そして、チャネル３０２，３０４はその連結部において重なりあうように配置され、この重なり合った部分において両者間に粘弾性体３０６が介装されている。
【００２１】
本実施形態でも、上記第１実施形態と同様に、床スラブ１０または１２の振動に応じて粘弾性体３０６が繰り返しせん断変形して振動エネルギーを吸収することにより、床スラブ１０，１２の振動が低減され、また、遮音性も向上する。また、粘弾性体３０６のせん断変形によって支持部材３００の全長が変化するので、支持部材３００の設計・製作が容易となる。
【００２２】
図３は、本発明の第３実施形態を示す図であり、同図（ａ）は正面図を、また、同図（ｂ）は同図（ａ）を側方から見た図である。本実施形態では、床スラブ１０，１２の間に支持部材４００が設けられている。支持部材４００は間仕切壁２０の内部に配置されている。支持部材４００は、全長の大きい上側の角型鋼管４０２と全長の小さい下側の角型鋼管４０４とにより構成されており、下側の角型鋼管４０４の下端部には粘弾性体４０６が取り付けられている。
【００２３】
支持部材４００を取り付ける場合、粘弾性体４０６の下面側を床スラブ１０に固定することにより下側の角型鋼管４０４を床スラブ１０に取り付けると共に、上側の角型鋼管４０２をその下端部が角型鋼管４０２を外側から覆うように配置し、その状態で、角型鋼管４０２の上端部を床スラブ１２に固定する。そして、角型鋼管４０２の下端近傍に設けた長穴４０２ａから角型鋼管４０４へボルト４０８を締め込むことで角型鋼管４０２，４０４を連結する。このような手順で支持部材４００を取り付けることにより、粘弾性体４０６に角型鋼管４０２の重量がかかるのを防止することができる。また、角型鋼管４０２，４０４の連結の際に長穴４０２ａを通してボルト締めするので、支持部材４００の全長を床スラブ１０，１２の間隔に合わせて調整することができる。
【００２４】
上記の構成によれば、床スラブ１０または１２に振動が生ずると、それに伴って粘弾性体４０６が繰り返し引張・圧縮変形して振動エネルギーを吸収することにより、床スラブ１０，１２の振動が低減され、遮音性能も向上する。本実施形態では、粘弾性体４０６に引張・圧縮変形を生じさせるので、小さな振幅の振動に対しても大きな減衰力を発生させることができ、これにより、大きな振動低減効果を得ることができる。
【００２５】
なお、上記第１〜第３実施形態において、粘弾性体２０６，３０６，４０６の厚さや面積は自由に設定可能である。したがって、所望の減衰性能が得られるように、これら粘弾性体の厚さや面積を適宜設計することができる。
【００２６】
【発明の効果】
本発明によれば、床のスラブ厚を増大させることなく、建物の床振動を低減することができる。
【図面の簡単な説明】
【図１】  本発明の第３の実施形態を示す図であり、同図（ａ）は正面図を、また、同図（ｂ）は同図（ａ）のＡ−Ａ断面図を、夫々示す。
【図２】  本発明の第２実施形態を示す図であり、同図（ａ）は正面図を、また、（ｂ）は同図（ａ）のＢ−Ｂ断面図を、夫々示す。
【図３】  本発明の第３実施形態を示す図であり、同図（ａ）は正面図を、また、同図（ｂ）は同図（ａ）を側方から見た図である。
【符号の説明】
１０、１２  床スラブ
２００、３００、４００  支持部材
２０６、３０６、４０６  粘弾性体
【図１】
0003899959.tif 000002
【図２】
0003899959.tif 000003
【図３】
0003899959.tif 000004